(57)【要約】フリンジパターンが、イメージ情報を含む対物レーザビームを参照レーザビームと干渉させることにより生成される場合、或る種のホログラフィック記録媒体が、ホログラフィック・ステレオグラムを更新可能に記録するために利用し得ることが見出された。このようにして、フリンジパターンの計算を不要とし、その代わりに、表示されるべき対象或いは景色の遠近情報が計算され、この情報が、空間的光変調器のようなディスプレイ用ハードウェアにダウンロードされ、次に、古典的なホログラム記録方法に基づいて、この情報を含む対物レーザビームを参照レーザビームと干渉させることにより、フリンジパターンが生成される。既に記録されていたホログラフィック・ステレオグラム或いはその要素ホーゲルは、ステレオグラム或いはその要素ホーゲルを消去することにより、或いは更新されたステレオグラム或いはその要素ホーゲルをホログラフィック記録媒体の別の部分に記録することにより更新される。
2006511843.tif 000002
【特許請求の範囲】
【請求項１】
ホログラフィック・ステレオグラムを記録し表示するための装置であって、
コヒーレントなビームを生成する光源と、
前記コヒーレントビームを対物ビーム及び参照ビームに分割するビームスプリッターと、
前記対物ビームを、更新可能なホログラフィック記録媒体にて、前記参照ビームと干渉するように、配向させる対物ビーム光学系と、
前記参照ビームを、更新可能な前記ホログラフィック記録媒体にて、前記対物ビームと干渉するように、配向させる参照ビーム光学系と、
更新可能な前記ホログラフィック記録媒体を保持する媒体ホルダと、
更新可能な前記ホログラフィック記録媒体に記録された少なくとも１つのホーゲルを、ユーザが見ることができるように照明するように配置された照明源とを有することを特徴とする装置。
【請求項２】
更新可能な前記ホログラフィック記録媒体が、少なくとも１つのホーゲル領域を有し、前記ホーゲル領域が前記少なくとも１つのホーゲルを記録し、かつ前記少なくとも１つのホーゲルを実質的に消去することにより、前記少なくとも１つのホーゲル領域に少なくとも１つの別のホーゲルを記録し得るように、前記少なくとも１つのホーゲル領域が作動することを特徴とする請求項１に記載の装置。
【請求項３】
前記少なくとも１つのホーゲル領域に少なくとも１つの別のホーゲルを記録し得るように、前記少なくとも１つのホーゲルを実質的に消去するために、電圧源、熱源、コヒーレントなビームを生成する前記光源及び第２の光源少なくとも１つが用いられることを特徴とする請求項２に記載の装置。
【請求項４】
前記少なくとも１つのホーゲル領域が、更新可能な前記ホログラフィック記録媒体の自然減衰特性を利用して、前記少なくとも１つのホーゲルを実質的に消去するように作動することを特徴とする請求項２に記載の装置。
【請求項５】
更新可能な前記ホログラフィック記録媒体が、感光性ポリマ、光屈折率材料、カルコゲニド化合物、熱変形性材料、液晶材料、ポリマ分散液晶材料及び光学的にアドレス可能な空間的光変調器のうちの少なくとも１つを含むことを特徴とする請求項１に記載の装置。
【請求項６】
前記媒体ホルダが、媒体供給部と、媒体受け取り部とを有し、更新可能な前記ホログラフィック記録媒体が、前記媒体供給部及び前記媒体受け取り部上に設けられたフレキシブルフィルムを更に有することを特徴とする請求項１に記載の装置。
【請求項７】
更新可能な前記ホログラフィック記録媒体が、更に、前記少なくとも１つのホーゲルを記録するべく作動する第１のホーゲル領域と、前記少なくとも１つのホーゲルの更新されたものを記録するべく作動する第２のホーゲル領域とを有することを特徴とする請求項１に記載の装置。
【請求項８】
更新可能な前記ホログラフィック記録媒体が、更新可能な前記ホログラフィック記録媒体に結合された少なくとも１つの基層を有することを特徴とする請求項１に記載の装置。
【請求項９】
更新可能な前記ホログラフィック記録媒体に結合された前記少なくとも１つの基層が、少なくとも１つの電極を有することを特徴とする請求項８に記載の装置。
【請求項１０】
前記対物ビーム光学系が、前記対物ビームを振幅変調するための空間的光変調器を含むことを特徴とする請求項１に記載の装置。
【請求項１１】
前記空間的光変調器に接続され、送り込まれたイメージの前記空間的光変調器への供給を制御するようにプログラムされたコンピュータを更に有することを特徴とする請求項１に記載の装置。
【請求項１２】
前記対物ビーム光学系を、更新可能な前記ホログラフィック記録媒体に対して位置決めするために作動可能な対物ビーム光学系並進システムを更に有することを特徴とする請求項１に記載の装置。
【請求項１３】
前記参照ビーム光学系を、更新可能な前記ホログラフィック記録媒体に対して位置決めするために作動可能な参照ビーム光学系並進システムを更に有することを特徴とする請求項１に記載の装置。
【請求項１４】
前記コヒーレントビームを生成する光源が、パルスレーザからなることを特徴とする請求項１に記載の装置。
【請求項１５】
ホログラムを記録し表示するための方法であって、
更新可能なホログラフィック記録媒体を提供する過程と、
更新可能な前記ホログラフィック記録媒体の第１の部分を、レーザからの対物ビーム及びレーザからの参照ビームにより生成された第１の干渉パターンに対して露光させる過程と、
更新可能な前記ホログラフィック記録媒体の前記第１の部分に、前記レーザからの前記対物ビーム及び前記レーザからの前記参照ビームにより生成された前記第１の干渉パターンに対応するホーゲルを生成する過程と、
前記ホーゲルを照明する過程と、
更新可能な前記ホログラフィック記録媒体の第２の部分を、前記レーザからの前記対物ビーム及び前記レーザからの前記参照ビームにより生成された第２の干渉パターンに対して露光させる過程と、
更新可能な前記ホログラフィック記録媒体の前記第２の部分に、前記レーザからの前記対物ビーム及び前記レーザからの前記参照ビームにより生成された前記第２の干渉パターンに対応する更新されたホーゲルを生成する過程と、
前記更新されたホーゲルを照明する過程とを有することを特徴とする方法。
【請求項１６】
更新可能な前記ホログラフィック記録媒体の前記第１の部分が、更新可能な前記ホログラフィック記録媒体の前記第２の部分に一致し、前記ホーゲルを少なくとも部分的に消去する過程を更に含むことを特徴とする請求項１５に記載の方法。
【請求項１７】
前記ホーゲルを少なくとも部分的に消去する前記過程が、
前記ホーゲルに電圧を印加する過程、
前記ホーゲルを加熱する過程、
前記ホーゲルに光源からの光を照射する過程及び
更新可能な前記ホログラフィック記録媒体の前記第２の部分の前記露光過程を、所定の時間が経過するまで遅延させる過程
のうちの少なくとも１つを含むことを特徴とする請求項１６に記載の方法。
【請求項１８】
更新可能な前記ホログラフィック記録媒体が、感光性ポリマ、光屈折率材料、カルコゲニド化合物、熱変形性材料、液晶材料、ポリマ分散液晶材料及び光学的にアドレス可能な空間的光変調器のうちの少なくとも１つを含むことを特徴とする請求項１５に記載の方法。
【請求項１９】
更新可能な前記ホログラフィック記録媒体の前記第１の部分が、更新可能な前記ホログラフィック記録媒体の前記第２の部分に対して離間していることを特徴とする請求項１５に記載の方法。
【請求項２０】
前記ホログラフィック記録媒体の前記露光過程が、前記対物ビーム及び前記参照ビームの少なくとも一方を、前記ホログラフィック記録媒体に対して任意の角度で配向する過程を含むことを特徴とする請求項１５に記載の方法。
【請求項２１】
参照ビーム光学系を、更新可能な前記ホログラフィック記録媒体に対して並進させる過程を更に含むことを特徴とする請求項１５に記載の方法。
【請求項２２】
対物ビーム光学系を、更新可能な前記ホログラフィック記録媒体に対して並進させる過程を更に含むことを特徴とする請求項１５に記載の方法。
【請求項２３】
前記対物ビームを空間的光変調器により振幅変調する過程を更に含むことを特徴とする請求項１５に記載の方法。
【請求項２４】
送り込まれた少なくとも１つのイメージを前記空間的光変調器に供給する過程を更に含むことを特徴とする請求項２３に記載の方法。
【請求項２５】
更新可能な前記ホログラフィック記録媒体がフレキシブルフィルムからなり、更新可能な前記ホログラフィック記録媒体を提供する前記過程が、前記フレキシブルフィルムの第１の部分を前進させる過程と、前記フレキシブルフィルムの第２の部分を受け取る過程とを含むことを特徴とする請求項１５に記載の方法。
【請求項２６】
前記レーザが、パルスレーザからなることを特徴とする請求項１５に記載の方法。
【発明の詳細な説明】
【技術分野】
【０００１】
本発明は、ホログラム生成技術に関し、特に更新可能なホログラム生成技術に関する。
【背景技術】
【０００２】
(ホログラフィック・ステレオグラムの生成を含む)ワンステップ・ホログラム生成技術は、予備的なホログラムを生成する従来からの過程を要することなく、好適なホログラムをホログラム記録媒体に記録するために利用されている。ワンステップ生成技術によれば、コンピュータイメージ・ホログラムばかりでなく、非コンピュータイメージ・ホログラムも生成することができる。或るワンステップシステムでは、コンピュータ処理された対象のイメージ或いは対象のコンピュータモデルにより、ホログラム要素或いはホーゲルと呼ばれる、複数の互いに隣接する小さな要素片から、ホログラムを形成することができる。ホログラフィック記録媒体上に各ホーゲルを記録するために、通常対物ビームを、与えられたイメージを表示する空間的光変調器(SLM)を経て、参照ビームと干渉させる。ワンステップ・ホログラム生成技術の例については、"Method and Apparatus for Recording One-Step, Full-Color, Full-Parallax, Holographic Stereograms,"を名称とし、Michael A. Klug, Mark E. Holzbach及び Alejandro J. Ferdman を発明者とする米国特許第 6,330,088 号明細書を参照されたい。この特許明細書は、それに参照することにより、本出願の一部をなすものとする。
【０００３】
一般に、米国特許第 6,330,088 号に記載された技術及び従来技術は、ホログラムの記録及び表示をリアルタイムで実行することができない。しかも、これらの技術は、アクティブな即ち迅速に更新可能な表示を生成するのに適していない。(数分又は数秒といった)常識的な時間内で更新可能であってインターアクティブな自動ステレオスコピックなホログラフィック３次元イメージを生成し得るディスプレイに対するかなりの重要な用途がある。しかしながら、このようなディスプレイを提供するには、いくつもの障害がある。（１）イメージを記録、表示、消去或いは置換し、かつ更新するのに適する媒体を選択する。（２）ディスプレイ上にイメージを生成するのに必要な膨大なデータ量のデータを転送するために必要な通信バンド幅を確保する。（３）リアルタイム或いは擬似リアルタイムなインターアクティブな感覚を生成し得るような高速のハードウェア及びソフトウェアを準備する。
【０００４】
今までも、リアルタイムなホログラフィック・ディスプレイを開発する努力がなされてきており、そのようなもののうちで特筆に価するものとしては、ＭＩＴ Ｍｅｄｉａ ＬａｂｏｒａｔｏｒｙのＳｔｅｖｅ ＢｅｎｔｏｎのＳｐａｔｉａｌ Ｉｍａｇｉｎｇ Ｇｒｏｕｐ及びｔｈｅ ＵＫ'ｓ Ｄｅｆｅｎｓｅ Ｅｖａｌｕａｔｉｏｎ ａｎｄ Ｒｅｓｅａｒｃｈ Ａｇｅｎｃｙ （ＤＥＲＡ）のスピンオフ企業であるＱｉｎｅｔｉＱのグループによるものがある。これらの技術は有望であるものの、限られた結果を産み出すのみであった。
【０００５】
ＭＩＴに於ける研究では、約７５ｍｍｘ１００ｍｍの、横方向のみのパララックスを発生するモノクロ・ディスプレイが開発された。このシステムは、先ず、物理的シミュレーションを用いたフリンジパターンを計算し、音響−光変調器（ＡＯＭ）に於いて、これを部分ごとに表示し、次にＡＯＭの縮小イメージをラスター走査することにより大きなディスプレイを得るものである。ＭＩＴディスプレイにより得られるイメージは、水平方向について約３０度の視野角を有し、垂直方向の解像度は１４４本であった。ＭＩＴディスプレイのイメージの質に関するトレードオフは、システムのデータバンド幅を最小化する必要を示している。そのため、ディスプレイの各フレームは、３６メガバイトの情報を含んでいる。このディスプレイは、カスタム製造されたハードウェアを用いて、予め記憶されたイメージ情報を用いて、毎秒２、３フレームの割合で更新することができる。このシステムは、ホログラフィック・フリンジパターンを生成するために、複雑な演算物理的シミュレーションを必要とすることから、リアルタイムの更新が困難である。
【０００６】
ＱｉｎｅｔｉＱのアプローチも、合成フリンジパターンを生成するために物理的シミュレーションを用いる。しかしながら、このフリンジパターンは、電気的にアドレス可能な空間的光変調器（ＥＡＳＬＭ）に書き込まれ、最終的なディスプレイのために、光学的にアドレス可能な空間的光変調器（ＯＡＳＬＭ）上にて、縮小され、再イメージ化される。このアプローチは、潜在的にはフルパララックスのイメージを生成し得るものであって、複数のＥＡＳＬＭ／ＯＡＳＬＭ素子をタイルのように貼り合わせることによりスケーラブルであるという特徴を有する。現在までのところ、このシステムは公開実験されておらず、その特性及び有効性を評価することは困難である。ＱｉｎｅｔｉＱのディスプレイの演算要素に関して文献化されているが、システムの性能に関しては何ら実証されていない。
【０００７】
ＭＩＴ及びＱｉｎｅｔｉＱのアプローチのいずれも、ホログラフィック・フリンジパターンを計算するために、複雑な物理的シミュレーションを必要とし、このフリンジパターンは、ディスプレイ用ハードウェアにダウンロードされる。このハードウェアにより配向された光は、フリンジパターンにより回折され、所望のイメージ対象又は景色の波面又はその近似物を再生する。このアプローチは、フリンジパターンを書き込み得るように、電子的にアドレス可能であって極めて高解像度のディスプレイ素子を必要とするという問題がある。このようなアプローチによっては、高い解像度を達成することができず、光を回折するのに必要な高い解像度を達成するために縮小を必要とする。このアプローチに於ける各要素のスペースバンド幅が限られているために、視野角が限られ、最終的に得られたイメージの解像度をそれほど高めることができない。
【０００８】
従って、合成フリンジパターンを生成するために複雑な物理的シミュレーションを必要としない、更新可能な或いはアクティブなホログラフィック・ディスプレイを生成するための装置及び方法が望まれる。更に、このような装置及び方法は、十分な視野角を有する高解像度のイメージを提供し得ることが望まれる。
【発明の開示】
【０００９】
フリンジパターンが、イメージ情報を含む対物レーザビームを参照レーザビームと干渉させることにより生成される場合、或る種のホログラフィック記録媒体が、ホログラフィック・ステレオグラムを更新可能に記録するために利用し得ることが見出された。このようにして、フリンジパターンの計算を不要とし、その代わりに、表示されるべき対象或いは景色の遠近情報が計算され、この情報が、空間的光変調器のようなディスプレイ用ハードウェアにダウンロードされ、次に、古典的なホログラム記録方法に基づいて、この情報を含む対物レーザビームを参照レーザビームと干渉させることにより、フリンジパターンが生成される。既に記録されていたホログラフィック・ステレオグラム或いはその要素ホーゲルは、ステレオグラム或いはその要素ホーゲルを消去することにより、或いは更新されたステレオグラム或いはその要素ホーゲルをホログラフィック記録媒体の別の部分に記録することにより更新される。
【００１０】
従って、本発明の或る側面は、ホログラフィック・ステレオグラムを記録し表示するための装置を提供することにある。この装置は、コヒーレントなビームを生成する光源ほ含む。ビームスプリッタにより、前記コヒーレントビームを対物ビーム及び参照ビームに分割する。対物ビーム光学系が、前記対物ビームを、更新可能なホログラフィック記録媒体にて、前記参照ビームと干渉するように配向させる。参照ビーム光学系が、前記参照ビームを、更新可能な前記ホログラフィック記録媒体にて、前記対物ビームと干渉するように配向させる。媒体ホルダが、更新可能な前記ホログラフィック記録媒体を保持する。照明源が、更新可能な前記ホログラフィック記録媒体に記録された少なくとも１つのホーゲルを、ユーザが見ることができるように照明するように配置される。
【００１１】
従って、本発明の別の側面は、ホログラフィック・ステレオグラムを記録し表示するための方法を提供することにある。先ず、更新可能なホログラフィック記録媒体を提供する。更新可能な前記ホログラフィック記録媒体の第１の部分を、レーザからの対物ビーム及びレーザからの参照ビームにより生成された第１の干渉パターンに対して露光させる。更新可能な前記ホログラフィック記録媒体の前記第１の部分に、前記レーザからの前記対物ビーム及び前記レーザからの前記参照ビームにより生成された前記第１の干渉パターンに対応するホーゲルを生成する。前記ホーゲルを照明する。更新可能な前記ホログラフィック記録媒体の第２の部分を、前記レーザからの前記対物ビーム及び前記レーザからの前記参照ビームにより生成された第２の干渉パターンに対して露光させる。更新可能な前記ホログラフィック記録媒体の前記第２の部分に、前記レーザからの前記対物ビーム及び前記レーザからの前記参照ビームにより生成された前記第２の干渉パターンに対応する更新されたホーゲルを生成する。
【００１２】
いま記述した事項は、本発明の概要であって、当然ながら、本発明の内容を、単純化し、一般化し、細部を省略したものであり、当業者であれば、本発明の概要は、単に説明の便宜のためのものであって、本発明を何ら限定するものではないことは明らかである。当業者であれば容易に理解できるように、本明細書に開示されている動作は、様々な態様で実施可能であり、そのような変形・変更は、本発明の概念から逸脱することなく可能である。本発明の他の側面或いは特徴は、以下の記述から明らかになると共に、添付の請求の範囲によってのみ限定される。
【発明を実施するための最良の形態】
【００１３】
以下、本発明の好適実施形態を詳しく説明する。この説明は、単なる例示であって、本発明を何ら限定するものではない。
【００１４】
以下に説明する本発明の装置及び方法はフリンジパターンの計算を必要としない。その代わりに、表示されるべき対象或いは景色の遠近情報が計算され、この情報が、空間的光変調器のようなディスプレイ用ハードウェアにダウンロードされ、次に、古典的なホログラム記録方法に基づいて、この情報を含む対物レーザビームを参照レーザビームと干渉させることにより、フリンジパターンが生成される。
【００１５】
前記米国特許明細書に記載されたホログラム記録装置は、連続波（ＣＷ）及びパルスレーザのいずれをも利用することができるが、ＣＷレーザには或る制限があるため、更新可能なホログラフィック記録媒体の用途には比較的不向きである。そのような制限の１つとしては、ＣＷレーザの出力が小さいため、ホログラム記録装置が、各ホーゲルについて（数十ミリ秒のオーダの）比較的長い露光時間を必要することがある。このような露光時間の間に、ホログラム生成装置の全体が機械的振動の影響を受ける惧れがある。機械的振動を解消したり、低減しようとする試みもなされている。ホログラムレコーダは通常、自動車、建物の振動、機械装置、電気器具、人間の運動、騒音、配管中の水或いは空気の流れなどの環境振動の源から離れた場所に設置される。環境振動源を十分に抑制し或いは解消することができない場合には、通常免振光学テーブルなどの特殊な装置が用いられる。このような装置及び手法は、ホログラム生成システムのコスト及び複雑さを増大させる。しかも、安定なホーゲル記録環境を確保するために、ホログラフィック記録媒体或いは記録媒体に対して記録光学系を並進運動させるために繰り返しステッピング動作がしばしば行われる。従って、やはり数十ミリ秒のオーダの時間が、記録プロセスにおいて安定化に要する時間として必要になる。記録及び安定化に要する時間の累積がホログラム生成プロセスの時間を増大させ、用途によってはこの時間が実用上許容されない程度となり得る。しかも、システムをステッピングするために用いられる機械システムでは、システムを繰り返し停止させ或いは前進させるために必要となる機構がきわめて複雑化するという問題もある。
【００１６】
ＣＷレーザを用いた場合に発生する上記したような問題の多くを、ホログラム生成装置においてパルスレーザを用いることにより軽減或いは解消することができる。小フレームパルスレーザは、パルスレーザ特性が異なる物理的特性を有するものであることから、ＣＷの同等品に対してより強い光を発生することができる。例えば、小フレーム周波数倍増Ｎｄ：ＹＡＧパルスレーザは、５３２ｎｍの波長において３５ｎｓのパルスの間に１．１ｍJのエネルギを発生することができる。これは、パルスの間における約３１．４ｋＷのパワーに相当する。それに対して、典型的なＣＷ Ｎｄ：ＹＡＧレーザは約４Ｗのパワーを発生することができる。パルスレーザを用いることにより、より大きな露光強度が得られるため、ホログラムを生成するのに必要な露光時間を大幅に短縮することができる。ＣＷレーザホログラム記録過程においては通常数十ミリ秒の時間が必要であるのに対し、パルスレーザの場合には数十ナノ秒のパルスによりパルスレーザホログラム記録を十分に行うことができる。露光時間を６桁短縮し得ることから、ホログラムレコーダの部品の運動や環境振動は、その周波数があまりに低いことから、干渉パターンの生成に対してなんら問題になるような影響を及ぼすことがない。従って、ＣＷレーザを用いたホログラムレコーダにおける安定性に関する限定が完全に解消される。そのため、レコーダの設計を大幅に単純化し、ハードウェアのコストを削減することができる。
【００１７】
このように、本明細書に記載されているシステム及び方法は、パルスレーザシステムを用いることに限定されるものではないが、本明細書の記載においてはパルスレーザシステムを用いることを強調する。さらに、本明細書に記載されたシステム及び方法は、"Pulsed-Laser Systems and Methods for Producing Holographic Stereograms"を名称とし、Craig Newswanger, Pankaj Lad, Robert L. Sitton, Qiang Huang, Michael A. Klug及びMark E. Holzbachを発明者とする米国特許出願第10/167,759号（７５９出願）に記載されたパルスレーザを用いてホログラムを記録するものであって、この特許明細書の内容は、それに言及することをもって本発明の一部とする。
【００１８】
図１は、７５９出願に記載された予備的感度付与及び記録技術の利点を利用し、本明細書に記載されたアクティブ・デジタル・ホログラム・ディスプレイに用いることのできるパルスレーザに基づくホログラム生成装置のダイヤグラム図である。ホログラムレコーダ１００は、水平方向のみのパララックス（ＨＰＯ）またはフルパララックス・ホログラムを高速で生成し得るように構成されており、特にホログラフィック・ステレオグラムを生成することができる。ホログラムレコーダ１００の主な部品は、パルスレーザ１１０、同期ホログラフィック記録媒体並進システム１２０、対物ビーム光学系１３０及び参照ビーム光学系１４０である。他の実施例においては、記録媒体が固定され、対物ビーム光学システム１３０及び参照ビーム光学システム１４０が記録媒体に対して並進運動する。さらに別の実施例においては、対物ビーム光学系１３０及び参照ビーム光学系１４０が、互いに組み合わされることにより、一つの光学系のみが並進運動すれば良いようにされている。
【００１９】
図示されたホログラムレコーダ１００においては、１つのパルスレーザのみが用いられているが、一般に、ホログラムレコーダ１００は、多色ホログラム及びホログラフィック・ステレオグラムを記録し得るようにいくつもの異なるパルスレーザや、複数の波長のレーザ出力を発生し得る１つのパルスレーザを用いるものとして構成することができる。このように、上記した０８８特許に記載されているシステム及び方法を、レコーダ１００のようなパルスレーザ・ホログラムレコーダにも適用することができる。
【００２０】
ホログラムレコーダ１００において用いることのできるパルスレーザ１１０の一例としては、カリフォルニア州Mountain Viewに所在するLightwave Electronics Corporationにより製造された212 Series(即ち model 212S-532-3500) diode-pumped, Q-switched pulsed Nd : YAG laserがある。当業者であれば用意に理解できるように、様々な異なるパルスレーザをホログラムレコーダ１００において用いることができる。一般に、特定のパルスレーザシステムについては、レーザの波長、レーザのパルスパワー及びレーザのパルスエネルギが、ホログラムレコーダに用いられる際の決定的なファクターとなる。
【００２１】
ＲＧＢなどの多色レーザパルスについては、様々な異なるレーザシステムを用いることができる。そのようなレーザシステムとしては、ダイオード励起固体レーザ、フラッシュランプ励起固体レーザ、色素レーザ等がある。典型的な固体レーザの利得メディアとしては、ルビー、サファイア、ガーネット、アレクサンドライト、チタン・サファイア(Ti:Sapphire)、ネオジウム:イットリウム・アルミニウム・ガーネット(Nd:YAG)、ネオジウム:フッ化リチウム・イットリウム(Nd:YLF)等がある。ある例では、レーザ周波数を低減するために、光パラメトリック発振器（ＯＰＯ）が用いられる。例えば、周波数３倍増Nd:YAGレーザが、355 nmパルスを発生し、このパルスにより、チューニング可能なＯＰＯを駆動して、410 nmから690 nmの波長のパルスを発生する。別の例では、Nd:YLFが、1047 nmのパルスを発生し、第２高調波発生器により、ＯＰＯを駆動するための523 nmのパルスを得ている。ＯＰＯからの898 nm及び1256 nmのパルス出力は、第２高調波発生器により、449 nm及び628 nmに周波数倍増することができる。別の例では、ラマン変換器が利用される。パルス・アレクサンドライト・レーザ（764 nmのパルス）の出力が、第２高調波発生器により周波数倍増され、382 nmのパルスとなる。これらのパルスは、水素化デュートリウム（ＨＤ）ガスを含むラマンセルを通過する。入力パルスを注意深く選択することにより、例えば、443 nm, 527 nm及び650 nmの出力レーザパルスを得ることができる。Nd:YAGやNd:YLF等の他の形式のレーザ及びデュートリウム（Ｄ２）又はメタン（ＣＨ４）等ラマンセルのための他の種類のガスを用いることもできる。更に、全ての、或いは一部の手法或いはレーザを組み合わせて、所望の波長のパルスを得ることができる。
【００２２】
パルスレーザ１１０により生成されたパルスレーザビームは、通常、偏光ビームスプリッタ−キューブからなるビームスプリッタ−Ｃ１により対物及び参照ビームに分割される。対物ビーム及び参照ビームの偏光特性及び相対的な強度（ビーム比）は、通常、半波長プレートからなる遅延器Ｐ１及びＰ２により制御される。
【００２３】
対物ビームは、レンズＬ１、Ｌ２を組み合わせて構成されたコリメータにより拡張されかつコリメートされる。次に、対物ビームが、空間光変調器（ＳＬＭ）に向けてビームスプリッタ−キューブＣ２により反射され、ＳＬＭに於いて対物ビームの波面が振幅変調される。図示されたＳＬＭは、対物ビームの偏光状態を回転させる反射ＳＬＭからなる。一般に、限定的ではないが、透過ＬＣＤパネル、反射ＬＣＤパネル、光アドレス可能なＬＣＤパネル、デジタルマイクロミラーアレイ、フィルム或いは透明体などを含む様々なＳＬＭなどを用いることができる。一般に、ＳＬＭは、図示されないコンピュータシステムからビデオケーブルを介してイメージ入力を受ける。さらに、複数のＳＬＭを用いて、複数の中央処理ユニットまたはコンピュータシステムにより並列的にイメージを生成することもできる。このように、ＳＬＭの反応時間は、通常重要なパラメータである。ホログラムレコーダ１００に用いられるＳＬＭの例としては、日本国のビクター株式会社により製造されたDigital Direct Drive Image Light Amplifier（Ｄ−ＩＬＡ：商標）がある。さらに、単一の多色ＳＬＭや、（通常各ビームの色ごとに準備された）複数のＳＬＭを用いることもできる。ＳＬＭに表示されたイメージ即ち振幅変調するために用いられるイメージは、通常ホログラムとして記録されるべく設計或いは処理された（真の物体のレンダリングされた或いは変換されたイメージからなる）コンピュータグラフィックスイメージからなる。
【００２４】
変調された波面は、一対のレンズＬ３、Ｌ４及び開口Ａ１によりリレー及びフィルタされ、帯域制限ディフューザまたは非等方性ディフューザ（ＢＬＤ）上にイメージを形成する。通常、ディフューザはシステム内の様々に異なる位置に配置し得ることを了解されたい。イメージは、次にフーリエ変換レンズ（ＦＴＬ）を通過し、記録プレートＲＰ上に配置されたホログラフィック記録媒体において所望の対物ビームの波面を形成する。図示された実施例では、限定的ではないが、例えばピクセルを用いるＳＬＭディスプレイから発生するピクセルまたはグリッドアーティファクトなどのような高周波イメージ要素などの好ましくない効果を取り除くために一対のレンズＬ３、Ｌ４を用いているが、様々に異なる光学系を利用することができる。
【００２５】
参照ビーム光学系１４０において、参照ビームは経路長マッチング光学系（ミラーＭ１，Ｍ２、Ｍ３及びＭ４）を通過し、参照ビーム成形開口Ａ２を照明する。経路長マッチング光学系は、参照ビームの経路が、対物ビームの経路長をマッチングさせ、或いはパルスレーザ１１０のコヒーレント長さ以下の距離内に２つの経路を近づける働きを有する。パルスレーザのあるものについては、コヒーレント長さは、数ミリメートルのオーダである。成形開口Ａ２のイメージは、参照ビームリレー光学系Ｌ５、Ｌ６を介してリレーされ、記録プレートＲＰにおけるホログラフィック記録媒体に至る。図示されているように、記録プレートＲＰにおけるホログラフィック記録媒体の面に直交する面に対する参照ビームの入斜角が傾斜しているのが好ましく、特に約４５度であるのが好ましい。別の実施例においては、ホログラフィック記録媒体の面に直交する方向に対して参照ビームの入射角が約０度である。参照ビーム及び対物ビームの一方或いは両方を制御するために様々な手法を用いることができる。例えば、上記した０８８特許に記載された装置及び手法を用いることができる。最後に、対物ビーム及び参照ビームは、記録プレートＲＰ上のホログラフィック記録媒体上において互いに重ね合わされ、ホログラム（すなわちホーゲル）記録に必要な干渉パターンを形成する。
【００２６】
図１の例では、光学系１３０、１４０は、ホログラムレコーダ１００の作動中、静止状態を保つのに対し、同期ホログラフィック記録媒体並進システム１２０が、記録プレートＲＰに位置するホログラフィックフィルムを、記録されるべき各ホーゲルについて再配置するために用いられる。同期ホログラフィック記録媒体並進システム１２０は、通常、コンピュータ制御されたｘ−ｙ平行移動システムからなる。ある実施例では、同期ホログラフィック記録媒体並進システム１２０は、ペンシルバニア州Irwinに所在するthe Parker Hannifin Corporationのthe  Daedal Divisionにより製造された300ATシリーズ位置決め装置及びミネソタ州Chaskaに所在するAcroloop Motion Control Systems, Inc.により製造されたACR2000位置コントローラを含む。ホログラフィック記録媒体が固定されているようなシステムにおいては、対象ビーム光学系１３０及び参照ビーム光学系１４０を記録媒体に対して平行移動させるために、同様な装置及び手法を用いることができる。さらに、デバイスの並進運動、ＳＬＭコンピュータグラフィックス・イメージディスプレイ及びレーザパルスを同期させるための装置及び手法が上記した７５９特許出願に詳しく記載されている。
【００２７】
当業者であれば容易に理解できるように、図１に示された特定の光学要素の多くは、異なる光学要素と置換することができる。例えば、ホログラムレコーダ１００において、様々に異なる偏光装置、ビームスプリッタ、コリメート用光学系、レンズ、ＳＬＭ及びミラーを用いることができる。さらに、図１には反射ホログラムを生成するための装置が示されているが、上記したような装置及び手法を用いた透過型ホログラムを生成するためのシステムを用いることもできる。
【００２８】
ここに記載されているデジタルホログラム・ディスプレイにおける基本的なユニットは、ホログラフィック要素すなわちホーゲルである。各ホーゲルは、様々な角度配置を有するものとして、数百万もの光線の強度及び方向を記録することができる。ホーゲルは、光の変換されたビームを、通常コリメートされたビームからなる参照ビームと干渉させることにより生成される。最も単純な形態において、変換は、マスクをレンズの後側焦点面に配置することにより達成されるような、グレースケールマスクまたはイメージのフーリエ変換からなる。０８８特許に記載されているように、デジタル光学要素の導入は、通常変換面におけるフォーカスされたビームの帯域制限された拡散を引き起こすマスクと調和する。この要素は、所望の形状またはサイズの光の拡散スポットを形成するために用いることができる。参照ビームは、通常非拡散性のものであるが、名目上平面上の波面を有するものであって、ホーゲル干渉パターンを生成するために任意の方向から拡散スポットに導入することができる。ホーゲルは、参照ビームのレプリカまたは参照ビームの位相共役ビームにより照明されたときに、データビームの特定の角度及び振幅を再現する。このように、データビームは、ホログラム面上のホーゲル領域についての位相情報を含むものであってよく、通常、遠近、振幅情報を含む。フィルム或いは光学系がインデックス運動すなわち平行運動するに伴い、一連のホーゲルが、参照ビームと順次干渉することにより媒体に記録すなわち書き込まれる。各ホーゲル毎に参照ビームの角度が異なることが出来、最終的なアレイはイメージをひずませることなく、所望に応じて拡散点光源或いは集束ビームを含む様々な光源により照明することができる。これにより、単一光源照明ビームにより、再生時の各ホーゲルについて実質的にブラッグ状態を実現することができる。
【００２９】
図２Ａ、２Ｂは、この構成の２つの可能な形態を示しているものであるが、ほとんど無限の角度、向き及び波面の組み合せが可能である。図２Ａには、「反射」オフ・アクセス（off-access）記録構造を示している。この実施例に於いては、データビーム２２０が、通常、図示されているように基板２０５上に或いは２枚の基板２０５間に設けられるホログラフィック記録媒体２００を一方の側から照明し、参照ビーム２１０は、ホログラフィック記録媒体２００を他方の側から照明する。多くのシステムに於いて、参照ビームの入射角は、所望のイメージ再生条件に応じて自由に定めることができる。参照ビーム２１０及びデータビーム２２０がコヒーレントであるため、それらが交差することにより、ホーゲル２３０として媒体２００に記録される干渉パターンを形成する。
【００３０】
図２Ｂは「透過」オン・アクセス記録構造を示す。この実施例では、データビーム２５０はホログラフィック記録媒体２００を一方の側から照明し、参照ビーム２４０は他方の側から照明する。参照ビーム２１０の場合と同様に、所望のイメージ再生条件に応じて、参照ビームの入射角を多くの場合、自由に選択することができる。やはり、参照ビーム２４０及びデータビーム２５０がコヒーレントであることから、それらが交差することにより媒体２００上にホーゲル２６０として記録される干渉パターンが形成される。一旦ホーゲルが記録媒体に記録されると、参照ビームと同一の或いは反対側の方向からのビームにより照明することにより、データビーム光線を再構成することができる。
【００３１】
図３Ａ−５について前記した更新可能な即ちアクティブなデジタル・ホログラフィック・ディスプレイは、干渉パターンが媒体中に永久的に記録されることがないように何らかの自然減衰を有するような、何らかの手段により消去可能であるように、媒体中にホーゲル干渉パターンを一時的に記録するという概念に基づいている。ホーゲルを記録するためのメカニズムに加えて、ホーゲルからデータビームを同時に或いは並行して再生する為のメカニズムも設けられる。そのような構造の１つが、図４Ａ、４Ｂに示されている。この実施例では、参照ビーム４２０及びデータビーム４３０を形成するために第１の波長のレーザを用いることにより、（通常１つまたは複数の基板４０５に関連づけられた）書き換え可能な媒体４００にオフ軸線透過ホーゲルが形成される。この記録過程の間に、データビーム４３０及び参照ビーム４２０は何れも、第１の波長即ちデータビーム及び参照ビームの波長の光に対して影響を及ぼしたり向きを変えることのない静的な体積（３次元）ホログラフィック反射器４１０を通過する。静的体積ホログラフィック反射器４１０等のようなデバイスは、当該技術分野に於いて良く知られている従来形式のホログラフィック光学要素技術を用いて製造することができる。ホーゲル４４０は、書き換え可能な媒体４００に記録される。
【００３２】
ホーゲル４００は、第１の波長とは異なる第２の波長の光により形成された照明ビーム４５０がホーゲルを通過するように投射され、（特定の要領を以って第２の波長の光を反射するように設計された）ホログラフィック反射器により反射されるときに再生される。照明ビーム４５０は、ホログラフィック反射器４１０により反射された後、所定の再構成角度をもってホーゲル４４０を通過する。このようにして、ホーゲルは、第１の波長のビームにより書き込まれ、同時に第２の波長の照明ビームを回折することにより、見ることのできるデータビーム４６０を再構成する。図４Ｂは、書き換え可能な媒体４００及びホログラフィックフィルタ４１０に対して直交する照明ビーム４５０を示しているが、必ずしもそうである必要はない。一般に、ホログラフィックフィルタ４１０は、エッジ照明状態に相当する９０度に近い角度を含む任意の入射角を以って反射された照明ビームを形成し得るように構成されている。しかも、ホログラフィックフィルタ４１０は、光を所望の要領を以ってフィルタするために、赤、緑及び青のフィルタ要素を備えるものなど他の特徴を兼ね備えたものとすることができる。
【００３３】
図３Ａに示された実施例に於いては、パルスレーザを用いて書き換え可能な媒体３００にホーゲルを記録し、このホーゲルは電圧、熱エネルギ或いは光を印加することにより消去され、或いは記録媒体が、自然な減衰プロセスを経て自己消去するようにして、記録された干渉パターンが時間の経過とともに消去されるようなものであってよい。図示された実施例は、ディスプレイは水平なテーブルをなし、参照ビーム３３５は、テーブルの上側に設けられたピボットミラー３３０により記録媒体３００に向けて送られる。参照ビームは、０８８特許に記載されているようなガルバノメータ・ジンバルシステムを用いて走査され、ビームを交差する媒体３００が、記録媒体３００の他方の側に設けられたデータビーム光学系３１０によりトラックされ、記録媒体３００を、参照ビームラスター運動を行うようにステップ状に走査することができる。この装置を動作させることにより、ホーゲルのアレイから形成されたデジタルホログラム３２０が生成される。前記したように、パルスレーザは、記録媒体に於ける連続的な運動や、フリンジパターンの画像の静止などを可能にするために用いることができる。
【００３４】
更新可能なディスプレイの照明の様子が図３Ｂに示されている。例えば、照明源３４０が、記録されたホーゲルアレイ３２０を照明するために、参照ビームピボットミラーポイントの近傍に配置される。照明光の波長は、記録光の波長と異なるものとし、照明源による記録媒体の感度喪失或いは日焼けを回避することができる。さらに、記録媒体３００は、動的に厚さを変えるなどの手段を用いることにより、ホログラムの反射周波数をシフトし得るものであるとすることができる。ホーゲルアレイ３２０を適切な要領をもって照明することにより、ホログラフィックイメージ３６０を表示することができる。一般に、照明源３４０は、走査される或いは拡散するレーザビーム、ＬＥＤ、ハロゲンランプその他の光源からなるものとすることができる。さらに別の照明源の例が図３Ｂに示されており、図２Ｂのオン軸線透過構造に於けるホーゲルアレイの記録を、ホーゲルアレイ３２０の下側に設けられた、例えば記録のための光源と交互するように設けられた光源により照明することができる。
【００３５】
使用される書き換え可能な記録媒体の形式により、既に記録されたホーゲルを消去するために必要な技術が異なることから、図３Ａに示された記録システムについて様々な実施例が可能である。図５はそのような一例を示す。図２Ｂと同様に、図５はオン・アクセスアクセス透過記録構造を示している。データビーム５３０は、一方の側から書き換え可能な記録媒体５００を照明し、参照ビーム５２０が同一の側から記録媒体を照明することによりホーゲル５４０を形成する。しかしながら、この実施例では、媒体を横切るように特定の電圧を印加することにより書き換え可能な記録媒体を消去することができる。このような特徴は、多くの光屈折性材料について共通なものである。従って、基板５０５は、電圧源５１０に接続された透明な導電電極を備えている。基板５０５の一部をなす電極は、書き換え可能な記録媒体に向けて消去用電圧を供給可能とする。媒体の形式や電極の形式に応じて、ホーゲルが記録されている領域に対応するようにアドレス可能な電極を設けるように構成することができる。従って、個々のホーゲルを、書き換えられる直前などに、必要に応じて消去することができる。電極は通常、基板５０５を透過する光に対する影響を最小化するために透明または半透明な材料からなるのが一般的である。オン・アクセス透過記録構造に関して説明したが、図５に示された消去システムは様々な異なる記録構造に対しても適用可能である。
【００３６】
図６Ａ、６Ｂはアクティブ・デジタル・ホログラム・ディスプレイの更に別の実施例を示す。これらの実施例に於いては、ホログラフィック記録媒体は、有効に消去したり、再使用することは出来ないが、記録媒体が自動化された手段により置換されることから、ディスプレイは、やはりアクティブであって書き換え可能であるものとすることができる。これらの例に於いて、記録媒体６００は、フィルム供給ロール６４５により供給され、フィルム巻取りロール６４０により巻き取られる。典型的な実施例に於いては、これらのフィルムロールはモータ駆動され、記録光学系と同期している。ロールは、各フレームが完全に書き込まれた後、或いはユーザが新たなフレームを要求した場合に、ロールが記録媒体６００を送り出すことができる。ホーゲル６２０の記録アレイが、上記した手法のいずれかを用いて生成される。図６Ａに示されるように、データビーム光学系６１０は、フィルムロールの幅方向に平行運動即ち走査し得るように構成されている。参照ビーム６５５は、フィルムの上方に設けられたピボットミラー６５０により記録媒体上に向けられる。参照ビームは、上記した０８８特許に記載されているようなガルバノメータ・ジンバル・システムにより走査され、ビームが交差する記録媒体６２０は、記録媒体６２０の他方の側に設けられたデータビーム光学系６１０によりトラックされる。記録媒体６２０は、参照ビームの走査運動に応じてステップ状に走査を行う。この実施例の変形として、ピボットミラー６５０がさらにフィルムロールの長手方向に沿って平行運動し得るようにされている。これは、参照ビームの入射角をさらに変更したり、データビーム光学系６１０の同様の平行運動を、より良く可能にするためである。記録が行われた後、記録媒体６００の一部が、通常記録領域から離れた視認領域６３０に平行運動する。図示されない、記録ホーゲルアレイを照明するための適当な装置を、この視認領域に関連して配置することができる。
【００３７】
同様に、図６Ｂは別の実施例を示す。この実施例では、参照ビーム光学系６６０が、データビーム光学系６１０と同様に平行運動可能に構成されている。このようにデータビーム光学系６１０及び参照ビーム光学系６６０は、記録媒体６００の両側に直接対向するように配置されている。この構造によりより、コンパクトな構成が可能となる。さらに、２組の光学系の平行運動は、同一の制御信号を用いて同期されるが、場合によっては同一の平行運動装置を用いることにより互いに同期させることもできる。
【００３８】
この種の装置について用いられる記録媒体としては、フィルム処理があまり必要でないものが望ましい。必要となる処理技術としては、加熱、ＵＶ照明、フィルム予備感光性処理、化学処理などがある。所要の処理を提供するための装置は、露光ヘッドに内蔵したり、別個設けることができる。従って、処理は、フィルムがホーゲルを記録する前或いはその後に行われる。マスキングプレートや図示されないシュラウドなど他の装置も、露光されていないフィルムを照明や記録源に対して保護するために用いることもできる。
【００３９】
ここに議論された技術に関連して、様々な異なるタイプのホログラフィーの記録媒体を使用することができる。特に図６Ａ及び６Ｂに関して記述された装置のために使用することができる記録媒体のタイプの例の１つとして、そのイメージ記録能力の高さ及び比較的使い易いやすさの点から、光重合可能な化合物(フォトポリマー)を挙げることができる。フォトポリマーは、露光したときに、選択的な重合反応により、物理的、化学的或いは光学的な変化を行うような広範囲の材料を含む。典型的なフォトポリマーは、モノマー、架橋可能なポリマー、感光剤即ち光反応開始剤、成分を互いに保持するためのバインダ或いは液体を含むものであって良い。これらの材料が活性化作用を有する光源に暴露されたとき、フォトポリマーの屈折率、透明、付着性及び又は可溶性の変化は、明るい領域及び暗い領粋を区別可能とする。録音体積位相ホログラムを記録可能なフォトポリマーとしては、キヤノン株式会社（ポリビニールカルバゾールに基づく）、Polaroid Corporation（ポリエチレン・アミン/アクリル酸塩に基づく）、ダイソー株式会社及びE. I. du Pont de Nemours and Company（ポリ酢酸ビニルとポリメタクリル酸に基づく）により開発されたものがある。当業者であれば容易に理解できるように、上記したように本発明を実施する際に、様々に異なるフォトポリマー組成物を使用することができる。しかしながら、例えば、OmniDex 706、OmniDex 801、HRF-800X001-15、HRF-750X、HRF-700X、HRF-600X等の商品名をもってE. I. du Pont de Nemours and Companyにより市販されているフォトポリマー・フィルムを使用するのが好ましい。
【００４０】
ホログラフィック記録のために、InPhase Technologiesにより開発された２つの独立して重合可能な化学物質システム（低屈折率のマトリックス前駆体及び高屈折率の光重合可能なモノマー）を用いたポリマー・システム等のような、より特化されたフォトポリマー・システムを書き換え可能な材料として使用することができる。
【００４１】
特に、書き換え可能な用途のためのホログラフィック記録材料としては、ビスマス・酸化シリコン (Bi12SiO2)、ニオブ酸リチウム (LiNbO3)、チタン酸バリウム(BaTi03)、硫化カドミウム(CdS)、砒化ガリウム(GaAs)及び燐化インジウム(InP)等のような古くから知られている光屈折率材料が含まれる。これらの材料の多くは、良好な光屈折率特性を有すると共に、記録された干渉縞の自然減衰、電気/熱/光学的可逆性などの或るメカニズムを備えていることにより、記録されたホーゲルを消去することができる。これらの材料は、バルク材料としてしばしば使用されるが、本発明のいくつかの実施例では、これらの材料に基づいた薄膜構造を利用することができる。別の実施例では、光屈折率特性に関して活性な層と不活性な層とを互いに交互するように備えた多層媒体を用いることができる。
【００４２】
まだ、上記したような書き換え可能な用途のための更に他のホログラフィック記録媒体としては，或るクラスのカルコゲニド化合物、熱により変形可能な材料、液晶(高分子分散型液晶)、或いは光学的にアドレス可能なSLMのような特殊装置等がある。
【００４３】
例えば、カルコゲニド化合物（カルコゲンとは、酸素(O)、硫黄(S)、セレン(Se)、テルル(Te)及びポロニウム(Po)等のグループ16の元素である。）に基づいた光学的相変化材料は、光学的エネルギを加えることにより、ある検知できる状態から別の検知できる状態に切り換えることができる。光学的相変化材料の状態は、例えば、屈折率、光学的吸収率、光学的反射率或いはこれらの組み合わせの特性として検知することができる。例えば、テルルに基づいた材料は、材料の変化が、反射率等の物理的特性の変化として表れるような場合に於けるデータ記録の用途の相変化材料として用いられる場合がある。一般に、このような材料に於けるアモルファスな状態と結晶質の状態と間の相転移を引き起こすために必要な光学的エネルギを供給するためにレーザが用いられる。材料に加えられるエネルギの量は、レーザのパワー及びレーザ・パルスが加えられた時間の関数である。従って、加えられたレーザ・パルスは、予め記録された干渉縞を、パルス・エネルギの量に応じて記録したり、消去するために利用することができる。
【００４４】
高分子分散型液晶媒体は、通常、液晶及び光重合可能な材料の混合物を２枚の基板の間に挟むことにより形成される。例えば、ホーゲルを形成する場合等に、高分子分散型液晶媒体内に形成された回析パターンは、そのパターンに応じて強く照明された領域と弱く照明された領域とを形成する。強く照明された領域内では、光重合可能な材料が重合し、弱く照明された領域内では、液晶の液滴が形成される。その結果、回析パターンが媒体内に形成される。しかしながら、これらのパターンの光学的特性は、電圧を印加する等の操作を液晶に加えることにより、操作することができる。
【００４５】
当業者であれば、上記した要素や材料に代えて様々な他の要素や材料を利用し得ることは容易に理解できよう。上記した本発明の説明は単なる例示であって、添付の請求の範囲に記載された本発明の技術範囲を限定するものではない。また、本発明を特定の実施例について説明したが、添付の請求の範囲に記載された本発明の概念から逸脱することなく、本発明を様々に異なる態様で実施することができる。
【図面の簡単な説明】
【００４６】
【図１】パルスレーザを用いたホログラム生成装置の模式的ダイヤグラム図である。
【図２Ａ】図１に示された装置を用いてホログラムを記録する構成の一例を示すダイヤグラム図である。
【図２Ｂ】図１に示された装置を用いてホログラムを記録する構成の別例を示すダイヤグラム図である。
【図３Ａ】更新可能なホログラフィック記録媒体に、記録し、表示（再生）するための装置の一例を示すダイヤグラム図である。
【図３Ｂ】更新可能なホログラフィック記録媒体に、記録し、表示（再生）するための装置の別例を示すダイヤグラ図である。
【図４Ａ】更新可能なホログラムを記録し（書き込み）、再生或いは表示するための構成の一例を示すダイヤグラム図である。
【図４Ｂ】更新可能なホログラムを記録し（書き込み）、再生或いは表示するための構成の別例を示すダイヤグラム図である。
【図５】更新可能なホログラムを記録するための装置及び構成の別例を示すダイヤグラム図である。
【図６Ａ】更新可能なホログラムを記録し、表示するための構成の更に別の例を示すダイヤグラム図である。
【図６Ｂ】更新可能なホログラムを記録し、表示するための構成の更に別の例を示すダイヤグラム図である。
【図１】
2006511843.tif 000003
【図２Ａ】
2006511843.tif 000004
【図２Ｂ】
2006511843.tif 000005
【図３Ａ】
2006511843.tif 000006
【図３Ｂ】
2006511843.tif 000007
【図４Ａ】
2006511843.tif 000008
【図４Ｂ】
2006511843.tif 000009
【図５】
2006511843.tif 000010
【図６Ａ】
2006511843.tif 000011
【図６Ｂ】
2006511843.tif 000012
【国際調査報告】
2006511843.tif 000013